Podtech/llm-jp-corpus-v4-ja_patent huggingface dataset:
【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
ビームの第1のセットを使用して送信された基準信号(RS)に基づいて、無線リンク監視(RLM)を実行するステップと、
ビームの第2のセットを使用した送信に基づいて、ビーム障害回復(BFR)監視を実行するステップと、
前記RLM監視と前記BFR監視の両方に基づいて、1つまたは複数の無線リンク障害(RLF)パラメータを調整するステップと
を含む、方法。
【請求項２】
前記調整されたRLFパラメータに基づいてRLF検出を実行するステップ
をさらに含む、請求項1に記載の方法。
【請求項３】
前記RLFパラメータが、同期外れ(OOS)BFRイベントまたは同期(IS)BFRイベントのうちの少なくとも1つの検出に応答して調整される
請求項1に記載の方法。
【請求項４】
前記RLM監視と前記BFR監視の両方に基づいて、無線リンク障害(RLF)検出を実行するステップが、
同期(IS)BFRイベントの検出に応答してRLF検出しきい値を調整するステップ
を含む、請求項1に記載の方法。
【請求項５】
前記調整するステップが、
同期(IS)BFRイベントの検出に応答して、より狭いCSI-RSビームを含めるようにセルメトリック計算を調整するステップ
を含む、請求項1に記載の方法。
【請求項６】
前記調整するステップが、
前記UEによって行われた測定に基づいて決定されたRLF検出パラメータを使用するステップ
を含む、請求項1に記載の方法。
【請求項７】
前記RLF検出パラメータが、RLFタイマーの開始をトリガするためのRLM同期外れ(OOS)イベントのしきい値数または前記RLFタイマーの終了をトリガするためのRLM同期(IS)イベントのしきい値数のうちの少なくとも1つを含む、請求項6に記載の方法。
【請求項８】
ユーザ機器(UE)によるワイヤレス通信のための装置であって、
ビームの第1のセットを使用して送信された基準信号(RS)に基づいて、無線リンク監視(RLM)を実行するための手段と、
ビームの第2のセットを使用した送信に基づいて、ビーム障害回復(BFR)監視を実行するための手段と、
前記RLM監視と前記BFR監視の両方に基づいて、1つまたは複数の無線リンク障害(RLF)パラメータを調整するための手段と
を含む、装置。
【請求項９】
前記調整されたRLFパラメータに基づいてRLF検出を実行するための手段
をさらに含む、請求項8に記載の装置。
【請求項１０】
前記RLFパラメータが、同期外れ(OOS)BFRイベントまたは同期(IS)BFRイベントのうちの少なくとも1つの検出に応答して調整される
請求項8に記載の装置。
【請求項１１】
前記RLM監視と前記BFR監視の両方に基づいて、無線リンク障害(RLF)検出を実行するための手段が、
同期(IS)BFRイベントの検出に応答してRLF検出しきい値を調整するための手段
を含む、請求項8に記載の装置。
【請求項１２】
前記調整するための手段が、
同期(IS)BFRイベントの検出に応答して、より狭いCSI-RSビームを含めるようにセルメトリック計算を調整するための手段
を含む、請求項8に記載の装置。
【請求項１３】
前記調整するための手段が、
前記UEによって行われた測定に基づいて決定されたRLF検出パラメータを使用するための手段
を含む、請求項8に記載の装置。
【請求項１４】
前記RLF検出パラメータが、RLFタイマーの開始をトリガするためのRLM同期外れ(OOS)イベントのしきい値数または前記RLFタイマーの終了をトリガするためのRLM同期(IS)イベントのしきい値数のうちの少なくとも1つを含む、請求項13に記載の装置。
【請求項１５】
コンピュータに請求項1乃至7のいずれか1項に記載の方法を実行させるための命令を含むコンピュータプログラム。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
第1のデバイスにおけるワイヤレス通信のための方法であって、
第2のデバイスからマルチキャストパケットを受信するステップと、
前記受信されたマルチキャストパケットにおける制御ヘッダ情報を復号するステップと、
前記受信されたマルチキャストパケットのペイロードに関連付けられた復号手順が不成功であると決定するステップと、
前記決定に少なくとも部分的に基づいて、否定応答(NACK)を送信するステップとを含む、
方法。
【請求項２】
送信機識別子のリストを取り出すステップであって、NACKを送信するステップが、前記送信機識別子のリストに少なくとも部分的に基づく、ステップをさらに含む、
請求項1に記載の方法。
【請求項３】
前記復号された制御ヘッダ情報に少なくとも部分的に基づいて、前記マルチキャストパケットに関連付けられた送信機識別子を決定するステップと、
前記送信機識別子が、前記送信機識別子のリスト中に存在すると決定するステップであって、前記NACKを送信するステップが、前記送信機識別子のリスト中の前記送信機識別子の存在に少なくとも部分的に基づく、ステップとをさらに含む、
請求項2に記載の方法。
【請求項４】
前記送信機識別子のリストが、決定された距離内に位置する1つまたは複数の送信機、センサー情報のタイプ、1つまたは複数のタイプのセンサー情報の組合せ、またはそれらの組合せに少なくとも部分的に基づく、
請求項2に記載の方法。
【請求項５】
前記マルチキャストパケットに関連付けられたシーケンスを生成するステップであって、前記送信されたNACKが、前記マルチキャストパケットに関連付けられた前記シーケンスを備える、ステップをさらに含む、
請求項1に記載の方法。
【請求項６】
送信機識別子に少なくとも部分的に基づいて、シーケンス識別子を決定するステップであって、前記マルチキャストパケットに関連付けられた前記シーケンスを生成するステップが、前記シーケンス識別子に少なくとも部分的に基づく、ステップをさらに含む、
請求項5に記載の方法。
【請求項７】
前記シーケンスに関連付けられたタイミングおよび周波数リソースが、ランダムに導出される、
請求項5に記載の方法。
【請求項８】
前記シーケンスの長さが、前記マルチキャストパケットに関連付けられた送信の長さに少なくとも部分的に基づく、
請求項5に記載の方法。
【請求項９】
第1のデバイスにおけるワイヤレス通信のための方法であって、
1つまたは複数のデバイスにマルチキャストパケットを送信するステップと、
否定応答(NACK)を受信するステップであって、前記NACKが、前記マルチキャストパケットのペイロードに関連付けられた復号手順が不成功であることを示す、シーケンス識別子を含む、ステップと、
前記NACKに少なくとも部分的に基づいて、前記1つまたは複数のデバイスに前記マルチキャストパケットを再送信するステップとを含む、
方法。
【請求項１０】
前記マルチキャストパケットに関連付けられた送信機識別子を決定するステップと、
送信する前に、前記マルチキャストパケットにおける制御ヘッダ情報に、前記送信機識別子の少なくとも一部分を追加するステップとをさらに含む、
請求項8に記載の方法。
【請求項１１】
前記NACKからシーケンス識別子を決定するステップと、
前記シーケンス識別子を、前記マルチキャストパケットに関連付けられた前記送信機識別子と比較するステップであって、前記マルチキャストパケットを再送信するステップが、前記比較に少なくとも部分的に基づく、ステップとをさらに含む、
請求項10に記載の方法。
【請求項１２】
第1のデバイスにおけるワイヤレス通信のためのコードを記憶する非一時的コンピュータ可読媒体であって、前記コードが、
第2のデバイスからマルチキャストパケットを受信すること、
前記受信されたマルチキャストパケットにおける制御ヘッダ情報を復号すること、
前記受信されたマルチキャストパケットのペイロードに関連付けられた復号手順が不成功であると決定すること、および
前記決定に少なくとも部分的に基づいて、否定応答(NACK)を送信すること
を行うように、プロセッサによって実行可能な命令を備える、
非一時的コンピュータ可読媒体。
【請求項１３】
第1のデバイスにおけるワイヤレス通信のためのコードを記憶する非一時的コンピュータ可読媒体であって、前記コードが、
1つまたは複数のデバイスにマルチキャストパケットを送信すること、
否定応答(NACK)を受信することであって、前記NACKが、前記マルチキャストパケットのペイロードに関連付けられた復号手順が不成功であることを示す、シーケンス識別子を含む、こと、および
前記NACKに少なくとも部分的に基づいて、前記1つまたは複数のデバイスに前記マルチキャストパケットを再送信することを行うように、プロセッサによって実行可能な命令を備える、
非一時的コンピュータ可読媒体。
【請求項１４】
ワイヤレス通信のための装置であって、
第2のデバイスからマルチキャストパケットを受信する手段と、
前記受信されたマルチキャストパケットにおける制御ヘッダ情報を復号する手段と、
前記受信されたマルチキャストパケットのペイロードに関連付けられた復号手順が不成功であると決定する手段と、
前記決定に少なくとも部分的に基づいて、否定応答(NACK)を送信する手段とを備える、装置。
【請求項１５】
ワイヤレス通信のための装置であって、
1つまたは複数のデバイスにマルチキャストパケットを送信する手段と、
否定応答(NACK)を受信する手段であって、前記NACKが、前記マルチキャストパケットのペイロードに関連付けられた復号手順が不成功であることを示す、シーケンス識別子を含む、手段と、
前記NACKに少なくとも部分的に基づいて、前記1つまたは複数のデバイスに前記マルチキャストパケットを再送信する手段とを備える、
装置。
【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
埋め込みコードを含む光を発するように構成される光源を介してデバイスの存在を伝えるためのシステムであって、当該システムは、コントローラを含み、前記コントローラは、
第１のデバイスから応答信号を受信するように構成される受信機であって、前記応答信号は、前記第１のデバイスの識別子を含み、前記応答信号は、前記埋め込みコードが前記第１のデバイスによって検出されたことを示す、受信機と、
前記埋め込みコードが前記第１のデバイスの前記識別子を表すように、前記第１のデバイスの前記識別子を前記埋め込みコードと関連付けることにより前記埋め込みコードを前記第１のデバイスの前記識別子と相関させるように構成されるプロセッサと、
を含み、当該システムは、第２のデバイスを含み、前記第２のデバイスは、
前記光源によって発せられる光を検出するように構成される第２の光検出器と、
前記光から前記埋め込みコードを取得する、前記埋め込みコードと相関された前記第１のデバイスの前記識別子を取得する、及びこれに基づいて前記第１のデバイスを識別するように構成される第２のプロセッサと、
を含む、システム。
【請求項２】
前記プロセッサは、前記埋め込みコードに前記第１のデバイスの前記識別子を埋め込むことにより前記埋め込みコードを前記第１のデバイスの前記識別子と相関させるように構成される、請求項１に記載のシステム。
【請求項３】
前記プロセッサは、前記第１のデバイスの前記識別子と前記埋め込みコードとの関連付けをメモリに記憶することにより前記埋め込みコードを前記第１のデバイスの前記識別子と相関させるように構成される、請求項１に記載のシステム。
【請求項４】
当該システムは、
前記光源によって発せられる光を検出するように構成される第１の光検出器と、
前記光から前記埋め込みコードを取得する、前記埋め込みコードに基づいて前記光源を識別する、及び前記応答信号を生成するように構成される第１のプロセッサと、
前記応答信号を前記コントローラに送信するように構成される送信機と、
を含む、第１のデバイスを含む、請求項１、２又は３に記載のシステム。
【請求項５】
前記第２のデバイスは、ユーザインターフェースを含み、前記第２のプロセッサは、前記ユーザインターフェース上に識別された前記第１のデバイスの情報をレンダリングするように構成される、請求項１乃至４のいずれか一項に記載のシステム。
【請求項６】
前記ユーザインターフェースは、画像レンダリングデバイスを含み、前記第２のデバイスは、前記光源を含む画像を捕捉するように構成される画像キャプチャデバイスを含み、前記第２のプロセッサは、前記画像内の前記光源の第１の位置を決定する、及び前記画像レンダリングデバイス上に前記第１のデバイスの前記情報をレンダリングするためのアンカとして前記第１の位置を使用するように構成される、請求項５に記載のシステム。
【請求項７】
前記ユーザインターフェースは、画像レンダリングデバイスを含み、前記第２のデバイスは、前記第１のデバイス及び／又は前記第１のデバイスと関連するエンティティを含む画像を捕捉するように構成される画像キャプチャデバイスを含み、前記第２のプロセッサは、前記画像内の前記第１のデバイス及び／又は前記エンティティの第１の位置を決定する、及び前記画像レンダリングデバイス上に前記第１のデバイスの前記情報をレンダリングするためのアンカとして前記第１の位置を使用するように構成される、請求項５に記載のシステム。
【請求項８】
前記第２のプロセッサは、前記画像内の第２の光源又はオブジェクトの第２の位置を決定する、及び前記画像レンダリングデバイス上に前記第１のデバイスの前記情報をレンダリングするための第２のアンカとして前記第２の位置を使用するように構成される、請求項６又は７に記載のシステム。
【請求項９】
前記識別子は、前記第１のデバイスを操作するユーザのユーザ識別子を表し、前記第２のプロセッサは、前記ユーザ識別子に基づいて前記第１のデバイスを操作する前記ユーザを識別するように構成される、請求項１乃至８のいずれか一項に記載のシステム。
【請求項１０】
前記識別子は、前記第１のデバイス又は該第１のデバイスのユーザの状態を表し、前記第２のプロセッサは、前記識別子に基づいて前記第１のデバイスの状態を決定するように構成される、請求項１乃至９のいずれか一項に記載のシステム。
【請求項１１】
埋め込みコードを含む光を発するように構成される光源を介してデバイスの存在を伝える方法であって、
第１のデバイスから応答信号を受信するステップであって、前記応答信号は、前記第１のデバイスの識別子を含み、前記応答信号は、前記埋め込みコードが前記第１のデバイスによって検出されたことを示す、ステップと、
前記埋め込みコードが前記第１のデバイスの前記識別子を表すように、前記埋め込みコードを前記第１のデバイスの前記識別子と相関させるステップと、
第２のデバイスによって、前記光源によって発せられる光を検出するステップと、
前記第２のデバイスによって、前記光から前記埋め込みコードを取得するステップと、
前記第２のデバイスによって、前記埋め込みコードと相関された前記第１のデバイスの前記識別子を取得する、及びこれに基づいて前記第１のデバイスを識別するステップと、
を含む、方法。
【請求項１２】
前記第１のデバイスによって、前記光源によって発せられる光を検出するステップと、
前記第１のデバイスによって、前記光から前記埋め込みコードを取得するステップと、
前記第１のデバイスによって、前記埋め込みコードに基づいて前記光源を識別するステップと、
前記第１のデバイスによって、前記応答信号を生成するステップと、
前記第１のデバイスによって、前記応答信号を送信するステップと、
を含む、請求項１１に記載の方法。
【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
壁部の開口部を通して取り付けるための電気光学的構成要素であって、前記電気光学的構成要素が、
前記壁部の外側に取り付けるための頭部と、
結合ユニットとを含み、
前記結合ユニットが、
前記結合ユニットの頂部にあるフランジと、
前記結合ユニットの前記頂部からバレル端部に向かって延在するバレルとを含み、前記バレルが、前記壁部の前記開口部を通過するように構成され、
前記頭部が、カバー部を有し、前記カバー部が、前記フランジを覆って延在し、光透過窓として機能するように構成され、
前記フランジが、前記電気光学的構成要素と前記壁部との間に圧縮封止部を供給するよう、前記カバー部の領域が、前記フランジと前記壁部との間にクランプされることができるように、前記カバー部を適所に保持するように構成される電気光学的構成要素。
【請求項２】
前記電気光学的構成要素が、照明要素である請求項１に記載の電気光学的構成要素。
【請求項３】
前記電気光学的構成要素が、光検出器である請求項１に記載の電気光学的構成要素。
【請求項４】
前記電気光学的構成要素が、前記壁部に前記電気光学的構成要素を固定するための留め具を更に含む請求項１乃至３のいずれか一項に記載の電気光学的構成要素。
【請求項５】
前記留め具は、前記バレルに形成されるねじ部と協働するように構成されるナットを含む請求項４に記載の電気光学的構成要素。
【請求項６】
前記留め具が、半径方向外側へ突出するラグのセットを前記頭部と反対側の前記バレル上に含み、各ラグが、前記頭部に面するクランプ面を有する請求項４に記載の電気光学的構成要素。
【請求項７】
前記ラグが、半径方向内側へ弾性変形可能である請求項６に記載の電気光学的構成要素。
【請求項８】
前記照明要素が、ＵＶ ＬＥＤモジュールを含む請求項２に記載の電気光学的構成要素。
【請求項９】
壁部を有する製品であって、前記壁部が、円形の開口部を備え、前記壁部の第１の側において、前記開口部の半径方向外側に、段付き厚み部のセットを備え、各段付き厚み部が、円弧に従い、局所的に最も薄い部分から局所的に最も厚い部分まで延在する製品と、
請求項６に記載の電気光学的構成要素とを含むデバイスであって、
前記電気光学的構成要素が、前記製品の前記壁部の前記開口部を通して取り付けられ、前記壁部の前記第１の側とは反対側の、前記壁部の第２の側に取り付けられ、
各ラグの前記クランプ面が、前記段付き厚み部の段に押し付けられるデバイス。
【請求項１０】
浄水デバイスを含む請求項９に記載のデバイス。
【手続補正書】
【提出日】令和3年5月27日(2021.5.27)
【手続補正１】
【補正対象書類名】特許請求の範囲
【補正対象項目名】全文
【補正方法】変更
【補正の内容】
【特許請求の範囲】
【請求項１】
−複数の医薬品のユニットのストレージユニットであって、それぞれの前記ストレージユニットに存在する医薬品のユニットの量を検出するための手段を有し、第１のコンピュータシステムと通信し、前記ストレージユニット内に存在する前記医薬品のユニットのそれぞれの前記量を、前記第１のコンピュータシステムに通信するように構成される、ストレージユニットと、
−前記ストレージユニットに通信可能に接続され、前記ストレージユニット内に存在する医薬品のユニットの前記量を受信し、データベースに格納するように構成される、前記第１のコンピュータシステムと、
−前記ストレージユニットが位置する前記敷地と、それぞれの前記ストレージユニットに受信される、存在する医薬品のユニットのそれぞれの前記量とが格納される、前記データベースと、
−通信接続のネットワークによって前記第１のコンピュータシステムおよび／または前記データベースと通信しており、ユーザが、敷地、すなわち前記ユーザが実際に位置する場所を検出した後に、および医薬品についての情報を入力、または医薬品を選択した後に、場所のために定義された環境内に位置する前記ストレージユニットの場所と、前記ストレージユニット内に存在するそれぞれの医薬品のユニットの数とを入力および／または選択するように構成される、少なくとも１つの第２のコンピュータシステムと、
を含むことを特徴とするシステム。
【請求項２】
以下の段階：
−異なる敷地内の医薬品のユニットを含むストレージユニットを供給する段階と、
−それぞれの前記ストレージユニット内に存在する医薬品のユニットの量を自動的に認識する段階と、
−前記量を第１のコンピュータシステムに伝送する段階と、
−前記量および敷地をデータベースに記録する段階と、
−第２のコンピュータシステムによって、ユーザに前記第１のコンピュータシステムおよび／または前記データベースへのアクセスを提供する段階であって、前記アクセスは、敷地を入力および／または選択、および／または検出した後に、前記敷地のために定義された環境内に位置するストレージユニットを有するそれらの敷地内に前記ユーザが表示され、前記ユーザに加えて存在する前記医薬品のユニットの前記量が示されるように構成される段階と、
を含むことを特徴とする方法。
【請求項３】
以下の段階：
−ユーザによって医薬品を入力および／または選択する段階と、
−ユーザによって敷地を入力および／もしくは選択する、ならびに／または前記ユーザが位置する前記敷地を検出する段階と、
−前記敷地のために定義された環境内の敷地を表示する段階であって、前記敷地は前記医薬品を含むストレージユニットを含み、前記ユーザに対してそれぞれの前記ストレージユニット内の医薬品のユニットの量を表示する段階と、
を含むことを特徴とする方法。
【請求項４】
医薬品のユニットのためのストレージユニットであって、前記ストレージユニット内に存在する医薬品のユニットの量を検出するためのストレージユニット手段を提示し、
前記ストレージユニットは第１のコンピュータシステムと通信し、前記ストレージユニット内に存在する前記医薬品のユニットの前記量を前記第１のコンピュータシステムに通信するように構成されることを特徴とする、医薬品のユニットのためのストレージユニット。
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
コンピュータの情報処理によりデータ・フィルタリングする方法であって、
複数のグループを作成するために１つまたは複数の要因に基づいて複数の認知データ・フィルタを生成することと、
グローバル・データ・リポジトリ上でクエリを受け取る前に、前記グローバル・データ・リポジトリによって受け取られたデータを前記複数の認知データ・フィルタを使用して認知フィルタリングして前記データの独立した各部分を前記複数のグループに入れることと
を含み、前記複数のグループの各グループ内のデータが、共通の定義可能な特性を共有している、方法。
【請求項２】
前記グローバル・データ・リポジトリにおいて、１つまたは複数の供給源から前記データを受け取ることであって、前記データがテキスト・データと非構造化データとを含む、前記データを受け取ることと、
前記データを前記グローバル・データ・リポジトリに記憶することと、
前記非構造化データをテキスト・ベースのデータに変換することと、
前記テキスト・ベースのデータを前記グローバル・データ・リポジトリに記憶することであって、前記複数の認知データ・フィルタが前記非構造化データから変換された後の前記テキスト・ベースのデータに適用される、前記テキスト・ベースのデータを前記グローバル・データ・リポジトリに記憶することと、
前記グローバル・データ・リポジトリにおいて前記クエリの標識を受け取ることと、
前記クエリに対応する少なくとも１つのグループを判断し、プリフェッチすることと、
前記少なくとも１つのグループ内のデータを前記クエリの前記標識を提供した要求元デバイスに複製することによって前記クエリに応答することと
をさらに含む、請求項１に記載の方法。
【請求項３】
前記クエリに関して前記要求元デバイスに提供された前記少なくとも１つのグループ内のデータの使用を示す標識を受け取ることをさらに含み、
前記１つまたは複数の要因は、キーワードと、キーワードの組と、値と、値の組と、値の範囲と、値の範囲の組とからなるグループから選択される、請求項２に記載の方法。
【請求項４】
要求元デバイスからクエリの標識を受け取ることに応えて前記要求元デバイスに提供された１つまたは複数のグループ内のデータの使用に照らして測定される前記複数の認知データ・フィルタの有効度を向上させるために、前記複数の認知データ・フィルタを経時的に適応化することをさらに含み、
前記複数の認知データ・フィルタの前記有効度は、前記要求元デバイスに提供された前記１つまたは複数のグループ内の前記データのうち前記クエリによって実際に利用される部分と、前記要求元デバイスに記憶され、前記クエリでの使用のために利用可能なすべてのデータのうち、前記１つまたは複数のグループ内で提供される割合と、のそれぞれに基づく、請求項１ないし３のいずれか一項に記載の方法。
【請求項５】
前記複数の認知データ・フィルタの前記有効度ＦＦ（ｋ）１が第１のアルゴリズム
【数１】
2020528617.tif 000001
に従って計算され、ここで、ＦＰ（ｋ）は、前記要求元デバイスに提供された前記１つまたは複数のグループ内のデータのうち前記クエリによって実際に利用される前記部分を示し、０と、１と、０と１との間のすべての値とを含む範囲内の第１の値を有し、ＦＲ（ｋ）は、前記要求元デバイスに記憶され、前記クエリでの使用のために利用可能なすべてのデータのうち、前記１つまたは複数のグループ内で提供される割合を示し、前記範囲内の第２の値を有する、請求項４に記載の方法。
【請求項６】
前記複数の認知データ・フィルタの前記有効度ＦＦ（ｋ）２が第２のアルゴリズムＦＦ（ｋ）２＝（２＊ＦＰ（ｋ）＊ＦＲ（ｋ））／（ＦＰ（ｋ）＋ＦＲ（ｋ））に従って計算され、ここで、ＦＰ（ｋ）は、前記要求元デバイスに提供された前記１つまたは複数のグループ内の前記データのうち前記クエリによって実際に利用される前記部分を示し、０と、１と、０と１との間のすべての値とを含む範囲内の第１の値を有し、ＦＲ（ｋ）は、前記要求元デバイスに記憶され、前記クエリでの使用のために利用可能なすべての前記データのうち、前記１つまたは複数のグループ内で提供される割合を示し、前記範囲内の第２の値を有する、請求項４に記載の方法。
【請求項７】
前記グローバル・データ・リポジトリに記憶されたデータに加えられた変更を考慮に入れるように前記複数のグループを更新することをさらに含み、前記複数のグループの前記更新は、所定のスケジュールに基づいて定期的に、またはバックグラウンド動作として連続して、またはトリガ・イベントに応答して行われ、前記複数のグループの前記更新は、１つまたは複数のグループの除去と、１つまたは複数のグループの追加と、特定のグループへの追加データの追加と、前記特定のグループからの既存のデータの除去とからなる１組のアクションから選択されたアクションを含む、請求項１に記載の方法。
【請求項８】
前記トリガ・イベントは、前記グローバル・データ・リポジトリからの既存データの削除と、前記グローバル・データ・リポジトリへの追加データの追加と、前記グローバル・データ・リポジトリへの新たな種類のデータの追加と、前記グローバル・データ・リポジトリのテキスト変換プロセスの更新とからなる組から選択される、請求項７に記載の方法。
【請求項９】
請求項１〜８の何れか１項に記載の方法の各ステップをコンピュータに実行させる、コンピュータ・プログラム
【請求項１０】
請求項９に記載のコンピュータ・プログラムを、コンピュータ可読記録媒体に記録した、記録媒体。
【請求項１１】
請求項１〜８の何れか１項に記載の方法の各ステップをコンピュータ・ハードウェアによる手段として構成した、システム。
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
シーンのタイル化３次元画像表現を生成する装置であって、前記装置は、
第１の視点から前記シーンのタイル化３次元画像表現を受け取るための受信装置であって、前記タイル化３次元画像表現が複数の相互接続されたタイルを含み、各タイルが前記第１の視点からの前記シーンのビューポートを表現するデプスマップ及びテクスチャマップを含み、前記タイルがタイリングパターンを形成する、前記受信装置と、
前記タイリングパターンに応じて、少なくとも第１のタイル及び第２のタイルの近接する境界領域を決定する第１の処理装置であって、前記第１のタイル及び前記第２のタイルが近接するタイルである、前記第１の処理装置と、
前記第１のタイルの第１の境界領域の第１のデプス値と前記第２のタイルの第２の境界領域の第２のデプス値とのうち、少なくともいくつかの値について、前記第１のデプス値と前記第２のデプス値との差異が低減されるように、少なくとも前記第２のデプス値に応じて、少なくとも前記第１のデプス値を修正する第２の処理装置であって、前記第１の境界領域及び前記第２の境界領域が近接する境界領域である、前記第２の処理装置と、を備える、装置。
【請求項２】
前記第２の処理装置は、前記第１のデプス値及び前記第２のデプス値を、等しい値に設定する、請求項１に記載の装置。
【請求項３】
前記等しい値は、前記第１のデプス値と前記第２のデプス値との平均値である、請求項２に記載の装置。
【請求項４】
前記第２の処理装置は、前記第１のデプス値を前記第２のデプス値に設定する、請求項１又は２に記載の装置。
【請求項５】
前記タイルの前記デプスマップから３次元メッシュを生成するためのメッシュ生成装置を更に含む、請求項１から４の何れか一項に記載の装置。
【請求項６】
前記メッシュ生成装置は、前記３次元メッシュを生成するために使用するための前記第１の境界領域のデプス値の一部を選択し、前記第２の処理装置は、前記第１の境界領域がデプス値の前記一部に属する場合にのみ、前記第１の境界領域のデプス値を修正する、請求項５に記載の装置。
【請求項７】
前記第２の処理装置は前記第１のデプス値を修正することに続いて、前記第１のタイルの前記デプスマップに空間フィルタを適用する、請求項１から６の何れか一項に記載の装置。
【請求項８】
遠隔ソースから前記タイル化３次元画像表現のためのタイルを受け取る遠隔ソース通信装置と、前記タイル化３次元画像表現のためのタイルを格納するローカル・ストアとを備え、前記受信装置は、前記遠隔ソース通信装置から前記第１のタイルを受け取るのに応じて、前記ローカル・ストアから少なくとも前記第２のデプス値を読み取る、請求項１から７の何れか一項に記載の装置。
【請求項９】
前記ローカル・ストアは、前記第１のデプス値を修正することに続いて、前記第１のタイルのデプスマップ又はメッシュを格納する、請求項８に記載の装置。
【請求項１０】
現在の視点方向を決定するためのユーザ入力部を更に含み、前記遠隔ソース通信装置は、前記現在の視点方向についての指示を前記遠隔ソースに送信し、その指示に応答して前記第１のタイルが受け取られる、請求項８又は９に記載の装置。
【請求項１１】
前記ローカル・ストアは、格納されたタイルに関するメッシュを格納し、前記メッシュ生成装置は、差分量が閾値を超えるとの検出に応答して、前記第２のタイルに対して格納されたメッシュに頂点及び少なくとも１つのエッジを付加し、前記差分量は、前記第１のタイルの境界デプス値と、前記第２のタイルに対して格納されたメッシュの対応する境界デプス値との間のデプスの差分を表す、請求項５に従属する請求項８から１０の何れか一項に記載の装置。
【請求項１２】
前記第２の処理装置は、前記第１のデプス値の位置で、前記第１のタイルに近接する各タイルの、最も近いデプス値のみに応じて、前記第１のデプス値を決定する、請求項１から１１の何れか一項に記載の装置。
【請求項１３】
各タイルは平面ポリゴンであり、相互接続された複数のタイルは３次元構造を形成する、請求項１から１２の何れか一項に記載の装置。
【請求項１４】
シーンの３次元画像表現を生成する方法であって、前記方法は、
第１の視点から前記シーンのタイル化３次元画像表現を受け取るステップであって、
前記タイル化３次元画像表現が複数の相互接続されたタイルを含み、各タイルが、前記第１の視点からの前記シーンのビューポートを表すデプスマップ及びテクスチャマップを含み、前記タイルがタイリングパターンを形成する、ステップと、
前記タイリングパターンに応じて、少なくとも第１のタイル及び第２のタイルの隣接する境界領域を決定するステップであって、前記第１のタイル及び前記第２のタイルが近接しているタイルである、ステップと、
前記第１のタイルの第１の境界領域の第１のデプス値と前記第２のタイルの第２の境界領域の第２のデプス値とのうち、少なくともいくつかの値について前記第１のデプス値と前記第２のデプス値との間の差異が低減されるように、少なくとも前記第２のデプス値に応じて、少なくとも前記第１のデプス値を修正するステップであって、前記第１の境界領域及び前記第２の境界領域が近接する境界領域である、ステップと、を有する、方法。
【請求項１５】
コンピュータにおいて動作させられるとき、請求項１４に記載の方法を実施するように適応されたコンピュータプログラムコード手段を含む、コンピュータプログラム。
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
コンピュータの情報処理によりファイルを管理する方法であって、
複数のファイルに対するクエリを受け取る前に、前記複数のファイルの独立した各部分を複数のグループに入れるために分散ファイル・システムの中央クラスタに記憶されている前記複数のファイルをフィルタを使用してフィルタリングすることであって、前記複数のグループの各グループ内のファイルが共通の検索可能な特性を共有している、前記フィルタリングすることと、
前記中央クラスタにおいて前記クエリの標識を受け取ることと、
前記クエリの前記標識を提供した、前記中央クラスタとは地理的に異なる、前記分散ファイル・システムのローカル・クラスタに前記複数のグループのうちの前記クエリに対応する１つまたは複数のグループのファイルを複製することによって、前記クエリに応答することと
を含む方法。
【請求項２】
１つまたは複数の供給源からテキストと非構造化データとを含む前記複数のファイルを前記中央クラスタにおいて受け取ることと、
前記複数のファイルを前記中央クラスタに記憶することと、
前記中央クラスタにおいて前記非構造化データをテキストに変換することと
を含み、
前記フィルタは、前記非構造化データから変換された後の前記ファイルの前記テキストに適用される、請求項１に記載の方法。
【請求項３】
前記中央クラスタにおいて受け取られるクエリで一般的に要求されるファイルを含む前記複数のグループを作成するために１つまたは複数の要因に基づいて前記フィルタを生成することを含み、前記要因は、１つまたは複数のファイルに関連付けられた日付と、１つまたは複数のファイルに関連付けられた１人または複数のユーザと、１つまたは複数のファイルの選択された内容または１つまたは複数のキーワードあるいはその両方と、１つまたは複数のファイルに関連付けられた地理的場所とからなる１組の要因から選択される、請求項１に記載の方法。
【請求項４】
前記中央クラスタにおいて受け取られるクエリで一般的に要求されるファイルを一緒にグループ化するように前記フィルタを経時的に適応化することを含む、請求項３に記載の方法。
【請求項５】
前記フィルタは、特定のグループ内のファイルが１つまたは複数の受け取られるクエリに関連する可能性を最大限にするように生成される、請求項３に記載の方法。
【請求項６】
前記中央クラスタに記憶されている前記複数のファイルに加えられた変更を考慮に入れるように前記複数のグループを更新することを含み、前記複数のグループの前記更新は、所定のスケジュールに基づいて定期的に、またはバックグラウンド動作として連続して、またはトリガ・イベントに応答して行われ、前記複数のグループの前記更新は、１つまたは複数のグループの除去と、１つまたは複数のグループの追加と、特定のグループへの１つまたは複数のファイルの追加と、前記特定のグループからの１つまたは複数のファイルの除去とからなる１組のアクションから選択されたアクションを含む、請求項１に記載の方法。
【請求項７】
前記トリガ・イベントは、前記中央クラスタ上の既存のファイルの削除と、前記中央クラスタへの新規ファイルの追加と、前記中央クラスタへのファイルの新しい種類の追加と、前記中央クラスタのテキスト変換プロセスの更新とからなる組から選択される、請求項６に記載の方法。
【請求項８】
分散ファイル・システムの中央クラスタにおいて１つまたは複数の供給源からテキストと非構造化データとを含む複数のファイルを受け取ることと、
前記複数のファイルを前記中央クラスタに記憶することと、
前記中央クラスタにおいて前記非構造化データをテキストに変換することと、
前記複数のファイルに対するクエリを受け取る前に、前記複数のファイルの独立した各部分を複数のグループに入れるために前記複数のファイルをフィルタを使用してフィルタリングすることと
を含み、前記複数のグループの各グループ内のファイルは共通の検索可能な特性を共有し、前記フィルタは前記非構造化データから変換された後の前記ファイルの前記テキストに適用される、方法。
【請求項９】
前記中央クラスタにおいて前記クエリの標識を受け取ることと、
前記クエリの前記標識を提供した、前記分散ファイル・システムのローカル・クラスタに前記複数のグループのうちの前記クエリに対応する１つまたは複数のグループのファイルを複製することによって、前記クエリに応答することと、
前記中央クラスタにおいて受け取られるクエリで一般的に要求されるファイルを一緒にグループ化するように前記フィルタを経時的に適応化することと
を含む、請求項８に記載の方法。
【請求項１０】
前記中央クラスタにおいて受信されるクエリで一般的に要求されるファイルを含む前記複数のグループを作成するために１つまたは複数の要因に基づいて前記フィルタを生成することであって、前記要因は、１つまたは複数のファイルに関連付けられた日付と、１つまたは複数のファイルに関連付けられた１人または複数のユーザと、１つまたは複数のファイルの選択された内容または１つまたは複数のキーワードあるいはその両方と、１つまたは複数のファイルに関連付けられた地理的場所とからなる１組の要因から選択される、前記フィルタを生成することと、
前記中央クラスタにおいて受信されるクエリで一般的に要求されるファイルを一緒にグループ化するように前記フィルタを経時的に適応化することと
を含む、請求項８に記載の方法。
【請求項１１】
クエリの標識を分散ファイル・システムの中央クラスタに送信する前に、前記分散ファイル・システムのローカル・クラスタで前記クエリに関連するファイルを検索することと、
前記関連するファイルが前記ローカル・クラスタに記憶されていないとの判断に応答して前記中央クラスタに前記クエリの前記標識を送信することと、
前記ローカル・クラスタにおいて前記クエリに関連するファイルのグループを受け取ることと、
前記ファイルのグループが前記中央クラスタに記憶されているすべてのファイルは含まないという条件で、前記ファイルのグループに対して前記クエリを実行することと、
キャッシュ・エビクション・ポリシーに従って前記ファイルのグループへの最後のアクセスから始まる所定期間、前記ファイルのグループを前記ローカル・クラスタに記憶することと
を含む方法。
【請求項１２】
請求項１〜１１の何れか１項に記載の方法の各ステップをコンピュータに実行させる、コンピュータ・プログラム。
【請求項１３】
請求項１２に記載のコンピュータ・プログラムをコンピュータ可読記録媒体に記録した、記録媒体。
【請求項１４】
請求項１〜１１の何れか１項に記載の方法の各ステップをコンピュータ・ハードウェアによる手段として構成した、システム。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
端末（ＵＥ：Ｕｓｅｒ  Ｅｑｕｉｐｍｅｎｔ）により早期データ送信（ＥＤＴ：Ｅａｒｌｙ  Ｄａｔａ  Ｔｒａｎｓｍｉｓｓｉｏｎ）を無線通信で実行する方法であって、
基地局（ＢＳ：Ｂａｓｅ  Ｓｔａｔｉｏｎ）から、前記ＥＤＴが許可されたことを前記ＵＥに通知する情報を含むシステム情報を受信するステップ；
ランダムアクセスプリアンブルを前記ＢＳに送信するステップ；
前記ＢＳから、ランダムアクセス応答（ＲＡＲ：ｒａｎｄｏｍ  ａｃｃｅｓｓ  ｒｅｓｐｏｎｓｅ）メッセージを受信するステップ；
前記ＲＡＲメッセージに対する応答として、前記システム情報に基づいて、前記ＥＤＴを開始する為の第１の無線リソース制御（ｒａｄｉｏ  ｒｅｓｏｕｒｃｅ  ｃｏｎｔｒｏｌ：ＲＲＣ）メッセージを前記ＢＳに送信するステップ；
前記第１のＲＲＣメッセージに対する応答として、前記ＢＳから、前記ＥＤＴの成功に関する第２のＲＲＣメッセージを受信するステップ；
前記ＥＤＴの成功に関する前記第２のＲＲＣメッセージに基づいて、ＲＲＣ＿ＩＤＬＥ状態に進入するステップ；を含んでなる、ＥＤＴ実行方法。
【請求項２】
ＲＲＣ＿ＩＤＬＥ状態に進入するステップ以前に前記ＥＤＴに対する無線ベアラを一時中断（ｓｕｓｐｅｎｄ）するステップを更に含む、請求項１に記載のＥＤＴ実行方法。
【請求項３】
前記ＲＲＣ＿ＩＤＬＥ状態に進入するステップは、前記第２のＲＲＣメッセージに対する応答として、第３のＲＲＣメッセージを前記ＢＳに送信しないで、前記ＲＲＣ＿ＩＤＬＥ状態とするステップ；を含む、請求項１に記載のＥＤＴ実行方法。
【請求項４】
前記ＥＤＴの成功に関する前記第２のＲＲＣメッセージに基づいて、前記ＥＤＴが完全に成功的であることを決定するステップを更に含む、請求項１に記載のＥＤＴ実行方法。
【請求項５】
前記第３のＲＲＣメッセージは、ＲＲＣ接続設定完了メッセージ又はＲＲＣ接続再開完了メッセージのうち一つである、請求項３に記載のＥＤＴ実行方法。
【請求項６】
前記第１のＲＲＣメッセージは、ＲＲＣ早期データ要求メッセージ、ＲＲＣ接続要求メッセージ又はＲＲＣ接続再開要求メッセージのうちの何れか一つである、請求項１に記載のＥＤＴ実行方法。
【請求項７】
前記第２のＲＲＣメッセージは、ＲＲＣ早期データ完了メッセージ、ＲＲＣ接続設定メッセージ、ＲＲＣ接続再開メッセージ又はＲＲＣ接続拒否メッセージのうちの何れか一つである、請求項１に記載のＥＤＴ実行方法。
【請求項８】
前記第１のＲＲＣメッセージを送信することにより、前記ＥＤＴに対するランダムアクセス手順が開始される、請求項１に記載のＥＤＴ実行方法。
【請求項９】
前記ＥＤＴは、前記ランダムアクセス手順中のアップリンクデータ送信であることを特徴とする、請求項８に記載のＥＤＴ実行方法。
【請求項１０】
前記ＵＥは、狭帯域ＩｏＴ（ＮＢ-ＩｏＴ）ＵＥであることを特徴とする、請求項１に記載のＥＤＴ実行方法。
【請求項１１】
前記第１のＲＲＣメッセージは、前記ＥＤＴに対するアップリンクデータを含む、請求項１に記載のＥＤＴ実行方法。
【請求項１２】
早期データ送信（ＥＤＴ：Ｅａｒｌｙ  Ｄａｔａ  Ｔｒａｎｓｍｉｓｓｉｏｎ）を無線通信で実行する端末（ＵＥ：Ｕｓｅｒ  Ｅｑｕｉｐｍｅｎｔ）であって、
前記ＵＥは、メモリ；送受信機；及び、前記メモリ及び前記送受信機に連結されるプロセッサ；を備えてなり、
前記プロセッサは、
基地局（ＢＳ：Ｂａｓｅ  Ｓｔａｔｉｏｎ）から、前記ＥＤＴが許可されたことを前記ＵＥに通知する情報を含むシステム情報を受信する前記送受信機を制御し；
ランダムアクセスプリアンブルを前記ＢＳに送信する前記送受信機を制御し；
前記ＢＳから、ランダムアクセス応答（ＲＡＲ：ｒａｎｄｏｍ  ａｃｃｅｓｓ  ｒｅｓｐｏｎｓｅ）メッセージを受信する前記送受信機を制御し；
前記ＲＡＲメッセージに対する応答として、前記システム情報に基づいて、前記ＥＤＴを開始する為の第１の無線リソース制御（ｒａｄｉｏ  ｒｅｓｏｕｒｃｅ  ｃｏｎｔｒｏｌ：ＲＲＣ）メッセージを前記ＢＳに送信する前記送受信機を制御し；
前記第１のＲＲＣメッセージに対する応答として、前記ＢＳから、前記ＥＤＴの成功に関する第２のＲＲＣメッセージを受信する前記送受信機を制御し；
前記ＥＤＴの成功に関する第２のＲＲＣメッセージに基づいて、ＲＲＣ＿ＩＤＬＥ状態に進入する、端末。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
無線通信システムにおける端末により媒体アクセス制御プロトコルデータユニット（ｍｅｄｉｕｍ  ａｃｃｅｓｓ  ｃｏｎｔｒｏｌ  ｐｒｏｔｏｃｏｌ  ｄａｔａ  ｕｎｉｔ：ＭＡＣ  ＰＤＵ）を送信する方法であって、
基地局から、第１の半静的スケジューリング（ｓｅｍｉ  ｐｅｒｓｉｓｔｅｎｔ  ｓｃｈｅｄｕｌｉｎｇ、ＳＰＳ）構成に対する情報、及び、第２のＳＰＳ構成に対する情報を受信するステップ；
前記第１のＳＰＳ構成の第１のリソースと、前記第２のＳＰＳ構成の第２のリソースとが第１の時にオーバーラップされ、
前記第１のＳＰＳ構成と、前記第２のＳＰＳ構成とを活性化するステップ；
前記第１のＳＰＳ構成の前記第１のリソースを、最も高い優先順位の論理チャネルにおける第１の優先と共に第１の論理チャネルに割り当てるステップ；
前記第２のＳＰＳ構成の前記第２のリソースを、最も高い優先順位の論理チャネルにおける第２の優先と共に第２の論理チャネルに割り当てるステップ；
（ｉ）前記第１の時にオーバーラップされた、前記第１のリソース及び前記第２のリソースに基づいて、及び、（ｉｉ）前記第２の優先よりも高い前記第１の優先に基づいて、前記第１の時に前記第１のＳＰＳ構成を選択するステップ；及び、
前記第１のＳＰＳ構成の前記第１のリソースに基づいて、前記第１の時における前記第１の論理チャネルに関するＭＡＣ  ＰＤＵを送信するステップ；を含んでなり、
送信は、前記第１の時に選択されなかった、前記第２のＳＰＳ構成の前記第２のリソースに基づいて実行されないことを特徴とする、方法。
【請求項２】
前記第１のＳＰＳ構成の第３のリソースと、前記第２のＳＰＳ構成の第４のリソースとが第２の時にオーバーラップされることを特徴とする、請求項１に記載の方法。
【請求項３】
前記第１のＳＰＳ構成の前記第３のリソースを、最も高い優先順位の論理チャネルにおける第３の優先と共に第３の論理チャネルに割り当てるステップ；及び、
前記第２のＳＰＳ構成の前記第４のリソースを、最も高い優先順位の論理チャネルにおける第４の優先と共に第４の論理チャネルに割り当てるステップ；を更に含むことを特徴とする、請求項２に記載の方法。
【請求項４】
（ｉ）前記第２の時にオーバーラップされた、前記第３のリソース及び前記第４のリソースに基づいて、及び、（ｉｉ）前記第３の優先よりも高い前記第４の優先に基づいて、前記第２の時に前記第２のＳＰＳ構成を選択するステップ；を更に含むことを特徴とする、請求項３に記載の方法。
【請求項５】
前記第２のＳＰＳ構成の前記第４のリソースに基づいて、前記第２の時に前記第４の論理チャネルに関するＭＡＣ  ＰＤＵを送信するステップ；を更に含んでなり、
送信は、前記第２の時に選択されなかった、前記第１のＳＰＳ構成の第３のリソースに基づいて実行されないことを特徴とする、請求項４に記載の方法。
【請求項６】
無線通信における媒体アクセス制御プロトコルデータユニット（ＭＡＣ  ＰＤＵ）を送信する端末であって、
メモリと、送受信機と、及び、前記メモリ及び前記送受信機に連結されるプロセッサと、を備えてなり、
前記プロセッサは、
基地局から、第１の半静的スケジューリング（ｓｅｍｉ  ｐｅｒｓｉｓｔｅｎｔ  ｓｃｈｅｄｕｌｉｎｇ、ＳＰＳ）構成に対する情報、及び、第２のＳＰＳ構成に対する情報を受信するように前記送受信機を制御し；
前記第１のＳＰＳ構成の第１のリソースと、前記第２のＳＰＳ構成の第２のリソースとが第１の時にオーバーラップされ、
前記第１のＳＰＳ構成と、前記第２のＳＰＳ構成とを活性化し；
前記第１のＳＰＳ構成の前記第１のリソースを、最も高い優先順位の論理チャネルにおける第１の優先と共に第１の論理チャネルに割り当て；
前記第２のＳＰＳ構成の前記第２のリソースを、最も高い優先順位の論理チャネルにおける第２の優先と共に第２の論理チャネルに割り当て；
（ｉ）前記第１の時にオーバーラップされた、前記第１のリソース及び前記第２のリソースに基づいて、及び、（ｉｉ）前記第２の優先よりも高い前記第１の優先に基づいて、前記第１の時に前記第１のＳＰＳ構成を選択し；及び、
前記第１のＳＰＳ構成の前記第１のリソースに基づいて、前記第１の時における前記第１の論理チャネルに関するＭＡＣ  ＰＤＵを送信するように前記送受信機を制御し、
送信は、前記第１の時に選択されなかった、前記第２のＳＰＳ構成の前記第２のリソースに基づいて実行されないことを特徴とする、端末。
【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
システムであって、
少なくとも１つのウォレットプロバイダコンピューティングデバイスと、
前記少なくとも１つのウォレットプロバイダコンピューティングデバイスに通信可能に結合された少なくとも１つのクレジットネットワークコンピューティングデバイスと、
前記少なくとも１つのクレジットネットワークコンピューティングデバイスに通信可能に結合された少なくとも１つのクレジット取引所コンピューティングデバイスと、を備え、
前記少なくとも１つのウォレットプロバイダコンピューティングデバイスが、前記少なくとも１つのウォレットプロバイダコンピューティングデバイスに通信可能に結合された借主コンピューティングデバイスから、借主からのクレジット条件を有するローンのクレジット要求を受信するように構成され、
前記少なくとも１つのウォレットプロバイダコンピューティングデバイスが、前記借主および前記クレジット条件に関する情報を含むスマート契約書を生成するように構成され、
前記少なくとも１つのウォレットプロバイダコンピューティングデバイスが、前記スマート契約書を前記少なくとも１つのクレジットネットワークコンピューティングデバイスに通信するように構成され、
前記少なくとも１つのクレジットネットワークコンピューティングデバイスが、連署人が、前記借主に代わって前記クレジット要求の連署に同意するという指標を受信するように構成され、
前記少なくとも１つのクレジットネットワークコンピューティングデバイスが、前記クレジット要求を表す前記スマート契約書を前記少なくとも１つのクレジット取引所コンピューティングデバイスに通信するように構成され、
前記少なくとも１つのクレジット取引所コンピューティングデバイスが、前記クレジット要求を表す前記スマート契約書を前記少なくとも１つのクレジット取引所コンピューティングデバイスの注文帳に載せるように構成され、
前記少なくとも１つのクレジット取引所コンピューティングデバイスが、貸主コンピューティングデバイスから、前記クレジット要求を表す前記スマート契約書の貸主の取引注文を受信するように構成され、
前記少なくとも１つのクレジット取引所コンピューティングデバイスが、前記貸主の前記取引注文が前記クレジット要求を表す前記スマート契約書の前記クレジット条件と一致するかどうかを判定するように構成され、
前記少なくとも１つのクレジット取引所コンピューティングデバイスが、前記貸主の前記取引注文が前記クレジット要求を表す前記スマート契約書の前記クレジット条件と一致するときに、前記借主、前記連署人、および前記貸主の間で前記ローンを実行するように構成されている、システム。